(57)【要約】【課題】施設の安全性を向上させた安全システム及び車両用防犯システムを提供する。【解決手段】  利用者ＩＣタグに記憶された鍵情報と管理者ＩＣタグに記憶された鍵情報とが略同時に読み取られ、かつ、その読み取られた鍵情報が、予め制御装置に記憶された鍵情報と一致している場合に、施錠装置を解除する。これにより、管理者ＩＣタグは管理者により所持されるので、利用者のみでは施錠装置を解除することができず、利用者は必ず管理者と共にでなければ施錠装置を解除することができない。したがって、施設の安全性を向上させることができる。【選択図】図２
2008063757.tif 000002
【特許請求の範囲】
【請求項１】
管理者が配備された施設の安全システムであって、
前記施設に設けられた出入口を開閉するドアを施錠する電気式の施錠装置と、
前記管理者に所持されるとともに、少なくとも前記施錠装置を解除するための鍵情報が記憶された管理者用情報記憶媒体と、
前記施設を利用する利用者に所持されるとともに、少なくとも前記施錠装置を解除するための鍵情報が記憶された利用者用情報記憶媒体と、
前記管理者用情報記憶媒体及び前記利用者用情報記憶媒体に記憶された鍵情報を読み取るための情報読取装置と、
前記情報読取装置によって前記管理者用情報記憶媒体に記憶された鍵情報と前記利用者用情報記憶媒体に記憶された鍵情報とが所定時間内に読み取られた場合に、前記施錠装置に施錠解除指令を発する第１施錠解除指令発生手段と
を有することを特徴とする安全システム。
【請求項２】
前記管理者用情報記憶媒体及び前記利用者用情報記憶媒体のうち少なくとも一方の情報記録媒体は、情報通信可能な携帯端末機にて構成されていることを特徴とする請求項１に記載の安全システム。
【請求項３】
前記情報読取装置は、前記施設内側から前記鍵情報を読み取ったか否かを判定可能であり、
さらに、前記情報読取装置が前記施設内側から前記利用者用情報記憶媒体に記憶された前記鍵情報を読み取った場合に、前記施錠装置に施錠解除指令を発する第２施錠解除指令発生手段を有することを特徴とする請求項１又は２に記載の安全システム。
【請求項４】
前記情報読取装置にて読み取られた前記利用者用情報記憶媒体に記憶された情報に基づいて、前記利用者の前記施設への入退出履歴を記憶する入退出履歴記憶手段と、
前記入退出履歴記憶手段に記憶された前記入退出履歴が更新されたか否かを判定する履歴更新判定手段と、
前記履歴更新判定手段により前記入退出履歴が更新されたと判定された場合に、その更新された入退室履歴に係る前記利用者に対して予め設定された連絡先に、更新された前記入退出履歴を通知する通知手段と
を有することを特徴とする請求項１ないし３のいずれか１つに記載の安全システム。
【請求項５】
車両用防犯システムであって、
車両が走行可能状態とするための車両スイッチを遠隔操作するための第１操作器と、
車両ドアの施錠装置を開閉するとともに、前記第１操作器より遠方から前記施錠装置を遠隔操作可能な第２操作器と
を有することを特徴とする車両用防犯システム。
【発明の詳細な説明】
【技術分野】
【０００１】
本発明は、管理者が配備された施設の安全システム、及び車両の盗難を未然に防ぐための車両用防犯システムに関する。
【背景技術】
【０００２】
管理者が配備された施設の安全システム（セキュリティシステム）として、例えば、特許文献１に記載の安全システムでは、出入口外側の床に設置された屋外用無線ＩＤ読取コントローラによって、ドアの外側に立った人の履物に装着されている無線ＩＤダグに記憶されている情報を読み取り、この読み取った情報が予め登録されている情報と同一場合に電気式の施錠装置を開放している。
【特許文献１】特開２００４−３３９７８９号公報
【発明の開示】
【発明が解決しようとする課題】
【０００３】
しかし、特許文献１に記載の発明では、予め登録されている情報と同一の情報が記憶されている無線ＩＤダグを所持している者であれば、仮に、その所持している無線ＩＤダグが盗品等の正規に入手した物でない場合であっても施錠装置が開放されてしまうので、施設の安全性を十分に確保することができないおそれがある。
【０００４】
また仮に、特許文献１に記載の発明を車両の盗難を未然に防ぐための車両用防犯システムに適用した場合も、前述と同様に、所持している無線ＩＤダグが盗品等の正規に入手した物でない場合であっても車両ドアの施錠装置が開放されてしまうので、十分な防犯性を確保することができない。
【０００５】
本発明は、上記点に鑑み、施設の安全性を向上させた安全システム及び車両用防犯システムを提供することを目的とする。
【課題を解決するための手段】
【０００６】
本発明は、上記目的を達成するために、請求項１に記載の発明では、管理者が配備された施設の安全システムであって、施設に設けられた出入口を開閉するドアを施錠する電気式の施錠装置と、管理者に所持されるとともに、少なくとも施錠装置を解除するための鍵情報が記憶された管理者用情報記憶媒体と、施設を利用する利用者に所持されるとともに、少なくとも施錠装置を解除するための鍵情報が記憶された利用者用情報記憶媒体と、管理者用情報記憶媒体及び利用者用情報記憶媒体に記憶された鍵情報を読み取るための情報読取装置と、情報読取装置によって管理者用情報記憶媒体に記憶された鍵情報と利用者用情報記憶媒体に記憶された鍵情報とが所定時間内に読み取られた場合に、施錠装置に施錠解除指令を発する第１施錠解除指令発生手段とを有することを特徴とする。
【０００７】
これにより、請求項１に記載の発明では、情報読取装置によって管理者用情報記憶媒体に記憶された鍵情報と利用者用情報記憶媒体に記憶された鍵情報とが所定時間内に読み取られた場合、つまり管理者用情報記憶媒体に記憶された鍵情報と利用者用情報記憶媒体に記憶された鍵情報とがほぼ同時に読み取られて施錠を解除するための条件に合致した場合に施錠装置が解除されることとなる。
【０００８】
このとき、管理者用情報記憶媒体は管理者により所持されるので、利用者のみでは施錠装置を解除することができず、利用者は必ず管理者と共にでなければ施錠装置を解除することができない。したがって、施設の安全性を向上させることができる。
【０００９】
なお、管理者用情報記憶媒体及び利用者用情報記憶媒体のうち少なくとも一方の情報記録媒体は、請求項２に記載の発明のごとく、情報通信可能な携帯端末機にて構成してもよい。
【００１０】
ところで、施設の安全を向上させるには、不正利用者等の不審者が施設内に侵入することを防止すれば十分であり、施設から外出（退出）する場合も施設に入る場合と同様に、管理者用情報記憶媒体に記憶された鍵情報と利用者用情報記憶媒体に記憶された鍵情報とがほぼ同時に読み取られた場合のみ施錠が解除される構成とすると、管理者の管理業務が煩雑になり、施設の利用性（利便性）が悪化してしまうおそれがある。
【００１１】
これに対して、請求項３に記載の発明では、情報読取装置は、施設内側から鍵情報を読み取ったか否かを判定可能であり、さらに、情報読取装置が施設内側から利用者用情報記憶媒体に記憶された鍵情報を読み取った場合に、施錠装置に施錠解除指令を発する第２施錠解除指令発生手段を有することを特徴としている。
【００１２】
これにより、請求項３に記載の発明では、情報読取装置が施設内側から利用者用情報記憶媒体に記憶された鍵情報を読み取った場合に施錠装置を解除するので、利用者が施設から外出（退出）する場合に、利用者は管理者と共ではなく、利用者のみで施錠を解除することができる。
【００１３】
したがって、施設に入る際には、請求項１に記載の発明と同様に、利用者のみでは施錠装置を解除することができず、利用者は必ず管理者と共にでなければ施錠装置を解除することができないので、不審者が施設に侵入することを防止しながら、施設の利用性（利便性）が悪化することを防止できる。
【００１４】
ところで、近年、小学校や学習塾等の施設と自宅との行き帰りに、児童が不審者に襲われる又は事故に遭遇するといった事件が多発しており、これらの事件から児童等の弱者を保護する手段が望まれている。
【００１５】
これに対して、請求項４に記載の発明では、情報読取装置にて読み取られた利用者用情報記憶媒体に記憶された情報に基づいて、利用者の施設への入退出履歴を記憶する入退出履歴記憶手段と、入退出履歴記憶手段に記憶された入退出履歴が更新されたか否かを判定する履歴更新判定手段と、履歴更新判定手段により入退出履歴が更新されたと判定された場合に、その更新された入退室履歴に係る利用者に対して予め設定された連絡先に、更新された入退出履歴を通知する通知手段とを有することを特徴としている。
【００１６】
これにより、請求項４に記載の発明では、利用者が施設に入室した時や施設から退出した時に、その入退室した利用者に対して予め設定された連絡先（例えば、利用者の自宅）にその旨が通知されるので、例えば児童が学習塾に入室したか、又は児童が学習塾から退出して帰宅途中にあるか等の状況を、保護者は自宅に居ながら把握することができる。
【００１７】
したがって、例えば学習塾を退出した旨の通知を保護者が受けた場合において、その通知を受けた退出時刻に対して必要以上の時間が経過していると保護者が判断した場合には、保護者は、帰宅が遅れていることに対して早急に対策を講じることが可能となるので、上記のような事故から児童を早期に保護することができる。
【００１８】
請求項５に記載の発明では、車両用防犯システムであって、車両が走行可能状態とするための車両スイッチを遠隔操作するための第１操作器と、車両ドアの施錠装置を開閉するとともに、第１操作器より遠方から施錠装置を遠隔操作可能な第２操作器とを有することを特徴とする。
【００１９】
これにより、請求項５に記載の発明では、不審者が第２操作器を不正入手（不正偽造）して車両ドアの施錠を開放した場合であっても、第１操作器も不正入手（不正偽造）しない限り車両を走行させることができないので、不審者が車両を盗むことが難しくなる。
【００２０】
逆に、不審者が第１操作器も不正入手（不正偽造）した場合にであっても、第２操作器も不正入手（不正偽造）しない限り車両ドアの施錠を解除することができないので、不審者が車両を盗むことが難しくなる。
【００２１】
したがって、請求項５に記載の発明では、車両用防犯システム防犯性を向上させることができる。
【発明を実施するための最良の形態】
【００２２】
本実施形態は、管理者が配備された公共施設（以下、施設という。）に本発明を適用したものである。以下に本発明の実施形態を図面と共に説明する。
（第１実施形態）
１．安全システムの概略構成
図１は本実施形態に係る施設の安全システムの概略を示す概念図である。そして、施設の利用者が施設に出入りするためのドア１０１には、ドア１０１を施錠する電気式の施錠装置２０１が設けられている。なお、施錠装置２０１は、電気的なアクチュエータにより施錠又はその解除を行うものである。
【００２３】
そして、管理者が駐在又は常駐する管理室には、施錠装置２０１の作動を制御する制御装置２１０が設けられており、この制御装置は、ＣＰＵ２１１、ＲＡＭ２１２及びＲＯＭ２１３等の記憶装置、並びに時刻や経過時間等を計時するタイマ２１５等からなるマイクロコンピュータにより構成されている。
【００２４】
なお、制御装置２１０（ＣＰＵ２１１）には、安全システムを設定操作するための操作パネル２１４及び安全システムの稼働状況、施設の利用状況及び設定内容等を表示するモニタ２１６が接続されている。
【００２５】
また、外部リーダ２２０は、ドア１０１の近傍の施設外に設けられて、ＩＣタグや携帯電話等の携帯端末機に記憶された情報を読み取るための情報読取装置であり、第１内部リーダ２２１及び第２内部リーダ２２２は、施設内に設けられてＩＣタグや携帯電話等の携帯端末機に記憶された情報を読み取るための情報読取装置である。
【００２６】
そして、第１内部リーダ２２１は、施設内のうちドア１０１の近傍に設けられており、主に、施設の利用者が所持するＩＣタグや携帯端末機に記憶された情報を読み取る。一方、第２内部リーダ２２２は、管理室内に設けられており、主に、管理者が所持するＩＣタグや携帯端末機に記憶された情報を読み取る。
【００２７】
また、ＩＣタグや携帯端末（以下、これらの総称してＩＣタグと記す。）は、施錠装置を解除するための鍵情報が記憶された情報記録媒体であり、外部リーダ２２０、第１内部リーダ２２１及び第２内部リーダ２２２は、ＩＣタグに記憶された鍵情報を非接触（無線通信）にて読み取る。なお、本実施形態に係るＩＣタグは、通信可能距離が１０ｍ〜２０ｍ程度のアクティブ型のＩＣタグである。
【００２８】
そして、ＩＣタグには、利用者により所持される利用者ＩＣタグ２５１と管理者により所持される管理者ＩＣタグ２５２とがあり、利用者ＩＣタグ２５１は、施設（管理者）から利用者に貸与されるものである。
【００２９】
なお、利用者ＩＣタグ２５１には、鍵情報に加えて、その利用者ＩＣタグ２５１を所持する者（利用者）についての情報、例えば利用者の氏名、住所、電話番号、ファクシミリ番号及びメールアドレス等が記憶されている。
【００３０】
また、制御装置２１０には、管理者が所持している携帯電話等の携帯端末機（以下、管理者用携帯端末という。）２５３に情報を送信するための第１通信回路２１７、及びインターネットや公衆電話回線等の外部ネットワークを介して施設の利用者が使用するコンピュータ（パソコン）２６０やファクシミリ２６１に情報を送信するための第２通信回路２１８が設けられている。
【００３１】
２．安全システムの特徴的作動
２．１．利用者が施設に入場する場合
本実施形態では、利用者が施設に入場する際には、利用者ＩＣタグ２５１に記憶された鍵情報と管理者ＩＣタグ２５２に記憶された鍵情報とが略同時に読み取られ、かつ、その読み取られた鍵情報が、予め制御装置２１０（ＲＯＭ２１３）に記憶された鍵情報と一致している場合に、施錠装置２０１が解除されるように構成されている。
【００３２】
なお、利用者ＩＣタグ２５１に記憶された鍵情報と管理者ＩＣタグ２５２に記憶された鍵情報とが略同時に読み取られるとは、所定時間（本実施形態では、３〜７秒）以内に利用者ＩＣタグ２５１に記憶された鍵情報と管理者ＩＣタグ２５２に記憶された鍵情報とが読み取られた場合をいい、双方の鍵情報を所定時間内に読み取ることができなかったときには、双方の鍵情報を略同時に読み取りができなかったものと判定される。
【００３３】
図２は利用者が施設に入場する場合に制御装置２１０で実行される制御フローを示すフローチャートであり、このフローチャートは、利用者ＩＣタグ２５１と外部リーダ２２０（制御装置２１０）との間で通信が成立した時に起動される。
【００３４】
そして、図２に示すフローチャートが起動されると、先ず、外部リーダ２２０にて利用者ＩＣタグ２５１の鍵情報を読み取ることができたか否かが判定され（Ｓ１０１）、利用者ＩＣタグ２５１の鍵情報を読み取ることができたと判定された場合には（Ｓ１０１：ＹＥＳ）、その読み取られた時の時刻が記憶される（Ｓ１０３）。
【００３５】
次に、第２内部リーダ２２２にて管理者ＩＣタグ２５２の鍵情報を読み取ることができたか否かが判定され（Ｓ１０５）、第２内部リーダ２２２にて管理者ＩＣタグ２５２の鍵情報を読み取ることができなかったと判定された場合には（Ｓ１０５：ＮＯ）、Ｓ１０３にて記憶された時刻、つまり外部リーダ２２０にて利用者ＩＣタグ２５１の鍵情報を読み取ることができた時刻から所定時間（本実施形態では、３〜７秒）が経過した否かが判定される（Ｓ１０７）。
【００３６】
そして、所定時間が経過していないと判定された場合には（Ｓ１０７：ＮＯ）、再び、第２内部リーダ２２２にて管理者ＩＣタグ２５２の鍵情報を読み取ることができたか否かが判定され（Ｓ１０５）、一方、所定時間が経過したと判定された場合には（Ｓ１０７：ＹＥＳ）、鍵情報の読み取りに失敗した旨の警告が利用者及び管理者に発せられた後、Ｓ１０１に戻る。
【００３７】
また、第２内部リーダ２２２にて管理者ＩＣタグ２５２の鍵情報を読み取ることができたと判定された場合には（Ｓ１０５：ＹＥＳ）、その読み取られた時の時刻がＳ１０３にて記憶された時刻、つまり外部リーダ２２０にて利用者ＩＣタグ２５１の鍵情報を読み取ることができた時刻から所定時間（本実施形態では、３〜７秒）以内であるか否かが判定される（Ｓ１２１）。
【００３８】
また、Ｓ１０１にて利用者ＩＣタグ２５１の鍵情報を読み取ることができなかったと判定された場合には（Ｓ１０１：ＮＯ）、第２内部リーダ２２２にて管理者ＩＣタグ２５２の鍵情報を読み取ることができたか否かが判定される（Ｓ１１１）。
【００３９】
そして、第２内部リーダ２２２にて管理者ＩＣタグ２５２の鍵情報を読み取ることができなかったと判定された場合には（Ｓ１１１：ＮＯ）、Ｓ１０１に戻り、第２内部リーダ２２２にて管理者ＩＣタグ２５２の鍵情報を読み取ることができたと判定された場合には（Ｓ１１１：ＹＥＳ）、その読み取られた時の時刻が記憶される（Ｓ１１３）。
【００４０】
次に、外部リーダ２２０にて利用者ＩＣタグ２５１の鍵情報を読み取ることができたか否かが判定され（Ｓ１１５）、外部リーダ２２０にて利用者ＩＣタグ２５１の鍵情報を読み取ることができなかったと判定された場合には（Ｓ１１５：ＮＯ）、Ｓ１１３にて記憶された時刻、つまり第２内部リーダ２２２にて管理者ＩＣタグ２５２の鍵情報を読み取ることができた時刻から所定時間（本実施形態では、３〜７秒）が経過した否かが判定される（Ｓ１１７）。
【００４１】
そして、所定時間が経過していないと判定された場合には（Ｓ１１７：ＮＯ）、再び、外部リーダ２２０にて利用者ＩＣタグ２５１の鍵情報を読み取ることができたか否かが判定され（Ｓ１１５）、一方、所定時間が経過したと判定された場合には（Ｓ１１７：ＹＥＳ）、鍵情報の読み取りに失敗した旨の警告が利用者及び管理者に発せられた後、Ｓ１０１に戻る。
【００４２】
また、外部リーダ２２０にて利用者ＩＣタグ２５１の鍵情報を読み取ることができたと判定された場合には（Ｓ１１５：ＹＥＳ）、その読み取られた時の時刻がＳ１１３にて記憶された時刻、つまり外部リーダ２２０にて利用者ＩＣタグ２５１の鍵情報を読み取ることができた時刻から所定時間（本実施形態では、３〜７秒）以内であるか否かが判定される（Ｓ１２１）。
【００４３】
そして、外部リーダ２２０にて利用者ＩＣタグ２５１の鍵情報を読み取ることができた時刻と第２内部リーダ２２２にて管理者ＩＣタグ２５２の鍵情報を読み取ることができた時刻との差が所定時間内であると判定された場合には（Ｓ１２１：ＹＥＳ）、その読み取られた鍵情報が、予め制御装置２１０（ＲＯＭ２１３）に記憶された鍵情報と一致している場合に限り、施錠装置２０１を解除する施錠解除指令が制御装置２１０から発せられる（Ｓ１２３）。
【００４４】
なお、その読み取られた鍵情報が、予め制御装置２１０（ＲＯＭ２１３）に記憶された鍵情報と一致しない場合には、施錠解除指令は発せられない。
一方、外部リーダ２２０にて利用者ＩＣタグ２５１の鍵情報を読み取ることができた時刻と第２内部リーダ２２２にて管理者ＩＣタグ２５２の鍵情報を読み取ることができた時刻との差が所定時間内でないと判定された場合には（Ｓ１２１：ＮＯ）、鍵情報の読み取りに失敗した旨の警告が利用者及び管理者に発せられた後、Ｓ１０１に戻る。
【００４５】
そして、施錠解除指令が発せられると、利用者ＩＣタグ２５１に記憶されている情報に基づいて施設に入場した利用者の氏名及び入場時刻等がＨＤＤやテープ等の大容量記憶装置（図示せず。）に記憶されるともに、施設に入場した利用者の氏名及び入場時刻が、利用者ＩＣタグ２５１に記憶されている連絡先に送信される（Ｓ１２５）。因みに、利用者ＩＣタグ２５１に記憶されている連絡先とは、前述したファクシミリ番号やメールアドレス等である。
【００４６】
なお、利用者が、利用者ＩＣタグ２５１の貸与を受ける際に、入場時刻等の送信サービスを受けることを拒否した場合には、入場時刻等は送信されない。
２．２．利用者が施設から退場する場合
利用者が施設から退場する場合には、第１内部リーダ２２１にて利用者ＩＣタグ２５１に記憶されている鍵情報が読み取られ、かつ、その読み取られた鍵情報が、予め制御装置２１０に記憶された鍵情報と一致している場合に、施錠装置２０１が解除される。
【００４７】
つまり、利用者が施設に入場する場合には、前述したように、利用者ＩＣタグ２５１に記憶された鍵情報と管理者ＩＣタグ２５２に記憶された鍵情報とが略同時に読み取られる必要があるのに対して、利用者が施設から退場する場合には、管理者ＩＣタグ２５２に記憶されている鍵情報を必要とせず、利用者ＩＣタグ２５１に記憶されている鍵情報のみで施錠装置２０１が解除される。
【００４８】
図３は利用者が施設から退場する場合に制御装置２１０で実行される制御フローを示すフローチャートであり、この制御フローは、利用者ＩＣタグ２５１と第１内部リーダ２２１との通信が成立した時に起動される。
【００４９】
そして、図３に示す制御フローが起動されると、第１内部リーダ２２１にて利用者ＩＣタグ２５１に記憶された鍵情報が読み込まれたか否かが判定され（Ｓ２０１）、第１内部リーダ２２１にて利用者ＩＣタグ２５１に記憶されている鍵情報が読み取られたと判定された場合には（Ｓ２０１：ＹＥＳ）、その読み取られた鍵情報が、予め制御装置２１０に記憶された鍵情報と一致している場合に限り、施錠装置２０１を解除しり施錠解除指令が制御装置２１０から発せられる（Ｓ２０３）。
【００５０】
次に、入場時に記憶（作成）された入退出履歴、つまり利用者の氏名及び入場時刻が記憶された情報のうち、Ｓ２０１にて読み取られた利用者ＩＣタグ２５１の所持者に対応する入退出履歴に退場時刻が追加記憶されて入退出履歴が更新されるとともに、その更新された利用者が所持している利用者ＩＣタグ２５１に記憶されている連絡先に施設を退場した時刻が送信される（Ｓ２０５）。
【００５１】
なお、利用者が、利用者ＩＣタグ２５１の貸与を受ける際に、入場時刻等の送信サービスを受けることを拒否した場合には、退場時刻等は送信されない。
３．本実施形態に係る安全システムの特徴
本実施形態では、管理者ＩＣタグ２５２に記憶された鍵情報と利用者ＩＣタグ２５１に記憶された鍵情報とが所定時間内に読み取られた場合、つまり管理者ＩＣタグ２５２に記憶された鍵情報と利用者ＩＣタグ２５１に記憶された鍵情報とがほぼ同時に読み取られて施錠を解除するための条件に合致した場合に施錠装置２０１が解除されることとなる。
【００５２】
このとき、管理者ＩＣタグ２５２は管理者により所持されるので、利用者のみでは施錠装置２０１を解除することができず、利用者は必ず管理者と共にでなければ施錠装置２０１を解除することができない。したがって、施設の安全性を向上させることができる。
【００５３】
ところで、施設の安全を向上させるには、不正利用者等の不審者が施設内に侵入することを防止すれば十分であり、施設から外出（退出）する場合も施設に入る場合と同様に、管理者ＩＣタグ２５２に記憶された鍵情報と利用者ＩＣタグ２５１に記憶された鍵情報とがほぼ同時に読み取られた場合のみ施錠が解除される構成とすると、管理者の管理業務が煩雑になり、施設の利用性（利便性）が悪化してしまうおそれがある。
【００５４】
これに対して、本実施形態では、第１内部リーダ２２１にて利用者ＩＣタグ２５１に記憶された鍵情報を読み取った場合に、施錠装置２０１に施錠解除指令を発するので、利用者が施設から外出（退出）する場合に、利用者は管理者と共ではなく、利用者のみで施錠を解除することができる。
【００５５】
したがって、施設に入る際には、利用者のみでは施錠装置２０１を解除することができず、利用者は必ず管理者と共にでなければ施錠装置２０１を解除することができないので、不審者が施設に侵入することを防止しながら、施設の利用性（利便性）が悪化することを防止できる。
【００５６】
ところで、近年、小学校や学習塾等の施設と自宅との行き帰りに、児童が不審者に襲われる又は事故に遭遇するといった事件が多発しており、これらの事件から児童等の弱者を保護する手段が望まれている。
【００５７】
これに対して、本実施形態では、利用者ＩＣタグ２５１に記憶された情報に基づいて、利用者の施設への入退出履歴（入退情報）予め設定された連絡先に送信（連絡）するので、例えば児童が学習塾に入室したか、又は児童が学習塾から退出して帰宅途中にあるか等の状況を、保護者は自宅に居ながら把握することができる。
【００５８】
したがって、例えば学習塾を退出した旨の通知を保護者が受けた場合において、その通知を受けた退出時刻に対して必要以上の時間が経過していると保護者が判断した場合には、保護者は、帰宅が遅れていることに対して早急に対策を講じることが可能となるので、上記のような事故から児童を早期に保護することができる。
【００５９】
なお、本実施形態においては、制御装置２１０から施錠解除指令が発せられていないにも拘わらず、ドア１０１が開かれたことが検出された場合や窓ガラス等が割られたことが検出された場合には、制御装置２１０は、管理者用携帯端末２５３にその旨を送信するようにしてもよい。
【００６０】
因みに、ドア１０１が開かれたことを検出する検出手段や窓ガラス等が割られたことを検出する検出手段は、光学センサや電気抵抗を変化を利用したもの等、周知の検出手段である。
【００６１】
４．発明特定事項と実施形態との対応関係
本実施形態では、管理者ＩＣタグ２５２が特許請求の範囲に記載された管理者用情報記憶媒体に相当し、利用者ＩＣタグ２５１が特許請求の範囲に記載された利用者用情報記憶媒体に相当し、外部リーダ２２０、第１内部リーダ２２１及び第２内部リーダ２２２が特許請求の範囲に記載された情報読取装置に相当する。
【００６２】
また、Ｓ１２３が特許請求の範囲に記載された第１施錠解除指令発生手段に相当し、Ｓ２０３が特許請求の範囲に記載された第２施錠解除指令発生手段に相当し、Ｓ１２５及びＳ２０５が特許請求の範囲に記載された入退出履歴記憶手段、履歴更新判定手段及び通知手段に相当する。
【００６３】
（第２実施形態）
本実施形態は、車両用防犯システムに関するものである。
図４は車両用防犯システムの概念を示す図である。イグニッションリモートキー３０１は、車両３００が走行可能状態とするための車両スイッチ（イグニションスイッチ）を遠隔操作するための第１操作器であり、ドアリモートキー３０３は、車両ドア３０５の施錠装置（図示せず。）を開閉するとともに、イグニッションリモートキー３０１より遠方から施錠装置を遠隔操作可能な第２操作器である。
【００６４】
なお、ドアリモートキー３０３は、通信可能距離が１０ｍ〜２０ｍ程度のアクティブ型のＩＣタグ又は携帯端末にて構成され、イグニッションリモートキー３０は、通信可能距離が０．５ｍ〜１ｍ程度のパッシブ型のＩＣタグ又は携帯端末にて構成されている。
【００６５】
そして、本実施形態に係る車両３００では、ドアリモートキー３０３及びイグニッションリモートキー３０１の２つのリモートキーが揃わなければ、車両３００を走行させることができない。
【００６６】
すなわち、図５は車両３００が走行可能状態となるまでの制御フローを示すフローチャートであり、この制御フローは、車両に搭載された制御装置（図示せず。）により実行される。
【００６７】
そして、図５に示す制御フローは、制御装置に電力が供給されている間は常に起動しており、車両に搭載された通信装置（図示せず。）とドアリモートキー３０３との間で通信が成立すると、ドアリモートキー３０３に記憶されている鍵情報が読み込まれたか否かが判定される（Ｓ３０１）。
【００６８】
なお、ドアリモートキー３０３に記憶されている鍵情報とは、車両ドア３０５の施錠装置を解除するための情報である。
そして、ドアリモートキー３０３に記憶されている鍵情報が読み込まれたと判定された場合には（Ｓ３０１：ＹＥＳ）、その読み込まれた鍵情報と制御装置に記憶されているドアリモートキー３０３に関する鍵情報とが一致したときに、車両ドア３０５の施錠装置が解除される（Ｓ３０３）。
【００６９】
次に、通信装置とイグニッションリモートキー３０１との間で通信が成立すると、イグニッションリモートキー３０１に記憶されている鍵情報が読み込まれたか否かが判定される（Ｓ３０５）。なお、イグニッションリモートキー３０１に記憶されている鍵情報とは、イグニションスイッチ（図示せず）をＯＮ状態として車両３００が走行可能状態とするための情報である。
【００７０】
そして、イグニッションリモートキー３０１に記憶されている鍵情報が読み込まれたと判定された場合には（Ｓ３０５：ＹＥＳ）、その読み込まれた鍵情報と制御装置に記憶されているイグニッションリモートキー３０１に関する鍵情報とが一致したときに、イグニションスイッチがＯＮ状態となる（Ｓ３０７）。
【００７１】
以上の説明からも明らかなように、本実施形態では、不審者がドアリモートキー３０３を不正入手（不正偽造）して車両ドア３０５の施錠を開放した場合であっても、イグニションリモートキー３０１も不正入手（不正偽造）しない限り車両を走行させることができないので、不審者が車両を盗むことが難しくなる。
【００７２】
逆に、不審者がイグニションリモートキー３０１も不正入手（不正偽造）した場合にであっても、ドアリモートキー３０３も不正入手（不正偽造）しない限り車両ドアの施錠を解除することができないので、不審者が車両を盗むことが難しくなる。したがって、本実施形態に係る車両用防犯システム防犯性を向上させることができる。
【００７３】
なお、本実施形態は、内燃機関を搭載した通常車両は勿論のこと、内燃機関と電動モータとを組み合わせたハイブリッド車両、又は電動モータのみで走行する車両にも適用できる。
【００７４】
（その他の実施形態）
第１実施形態では、利用者ＩＣタグ２５１に記憶された鍵情報と管理者ＩＣタグ２５２に記憶された鍵情報と制御装置２１０に記憶されている鍵情報とは同一の情報としているが、本発明はこれに限定されるものではない。
【００７５】
また、第１実施形態では、無線通信にて鍵情報等を読み取るリーダ（情報読取装置）を用いたが、本発明はこれに限定されるものではない。
また、第１実施形態では、利用者が施設に入場する場合には、利用者ＩＣタグ２５１に記憶された鍵情報と管理者ＩＣタグ２５２に記憶された鍵情報とが略同時に読み取られる必要があるのに対して、利用者が施設から退場する場合には、管理者ＩＣタグ２５２に記憶されている鍵情報を必要とせず、利用者ＩＣタグ２５１に記憶されている鍵情報のみで施錠装置２０１が解除されるようにしたが、第１実施形態はこれに限定されるものではなく、利用者が施設から退場する場合も入場する場合と同様に、利用者ＩＣタグ２５１に記憶された鍵情報と管理者ＩＣタグ２５２に記憶された鍵情報とが略同時に読み取られたときに、施錠装置２０１が解除されるように構成してもよい。
【図面の簡単な説明】
【００７６】
【図１】本発明の第１実施形態に係る安全システムの概念図である
【図２】利用者が施設に入場する場合に制御装置２１０で実行される制御フローを示すフローチャートである。
【図３】利用者が施設から退場する場合に制御装置２１０で実行される制御フローを示すフローチャートである。
【図４】車両用防犯システムの概念を示す図である。
【図５】車両３００が走行可能状態となるまでの制御フローを示すフローチャートである。
【符号の説明】
【００７７】
１０１…ドア、２０１…施錠装置、２１０…制御装置、２１６…モニタ、
２１７…第１通信回路、２１８…第２通信回路、２２０…外部リーダ、
２２１…第１内部リーダ、２２２…第２内部リーダ、２５１…利用者ＩＣタグ、
２５２…管理者ＩＣタグ、２５３…管理者用携帯端末、２６１…ファクシミリ。
【図１】
2008063757.tif 000003
【図２】
2008063757.tif 000004
【図３】
2008063757.tif 000005
【図４】
2008063757.tif 000006
【図５】
2008063757.tif 000007